(57)【特許請求の範囲】
【請求項１】
ブックシェルフ筐体内でプリント基板を挿脱自在とするプリント基板の挿抜装置において、前記ブックシェルフ筐体の開口部に設けられた係合部材と、前記プリント基板の後端側角部に回動自在に設けられた挿抜レバーとを有し、前記係合部材は係合部と、前記係合部材に一体に形成されたほぼＪ字形のガイド突片とを備え、前記挿抜レバーは前記係合部の内側に係合する挿入用突出部と、前記係合部の外側に係合する抜出用突出部と、前面側が円弧状に形成されたガイド突起とを備え、前記ブックシェルフ筐体内への前記プリント基板の挿入時、前記ガイド突起の円弧面と前記ガイド突片のほぼＪ字形の終端側の外面とが当接して前記挿抜レバーが回動し、前記挿入用突出部と前記係合部との近接し合う先端部同士が干渉することなく、前記挿入用突出部が前記係合部の内側に係合することを特徴とするプリント基板の挿抜装置。
【発明の詳細な説明】
【０００１】
【発明の属する技術分野】
この発明はブックシェルフ筐体を有する電子装置のプリント基板挿抜装置に関する。
【０００２】
【従来の技術】
従来この種の電子装置においては、ブックシェルフ筐体内に１枚ないし複数枚のプリント基板が実装できるようになっており、各プリント基板には、ブックシェルフ筐体内よりプリント基板を抜き出す際、抜き出しやすいように挿抜レバーが設けられている。
【０００３】
図４は従来のブックシェルフ筐体内にプリント基板を実装した状態の一部切欠斜視図、図５の（イ）及び（ロ）はプリント基板に取付けられた挿抜レバーの作用説明図を示すもので、ブックシェルフ筐体ａの内には、プリント基板ｂの上下縁部をガイドする複数対のガイドレールｃが横方向に等間隔に布設されており、その奥には各ガードレールｃ毎にコネクタｄの設けられたマザーボードｅが設けられている。
【０００４】
またプリント基板ｂの前端側には、上記マザーボードｅのコネクタｄに接続自在なコネクタｆが、そして後端の上下角部には、ブックシェルフ筐体ａの開口部に設けられた係合部材ｇに係脱自在に係合する挿抜レバーｈが設けられている。
【０００５】
上記挿抜レバーｈは、中間部よりやや一端側に寄った位置をピンｉによりプリント基板ｂに回動自在に枢着されていて、ブックシェルフ筐体ａ内にプリント基板ｂを挿入した状態では、一端部が上記係合部材ｇの先端に内側より係合されており、ブックシェルフ筐体ａよりプリント基板ｂを抜き出すときは、他端側をブックシェルフ筐体ａの奥方側へ押し込むことにより、テコの原理でプリント基板ｂに大きな抜出力が発生し、マザーボードｅのコネクタｄとプリント基板ｂのコネクタｆ間が切離せるため、ブックシェルフ筐体ａ内よりプリント基板ｂが簡単に抜き出せるようになっている。
【０００６】
【発明が解決しようとする課題】
しかし上記従来のプリント基板挿抜装置では、プリント基板ｂの上側角部に枢着された挿抜レバーｈは、他端側の自重により起立状態にある。
【０００７】
このためブックシェルフ筐体ａ内にプリント基板ｂを挿入すると、図５の（イ）に示すように、挿抜レバーｈの一端側前面が係合部材ｇの前面に突き当たって、先端部が係合部材ｇ内に挿入されず、プリント基板ｂの実装が困難となる。
【０００８】
このため従来では、図５の（ロ）に示すように作業者が意識的に上側の挿抜レバーｈをほぼ水平状態に手で保持しながらプリント基板ｂを挿入し、挿抜レバーｈの先端を係合部材ｇ内へ挿入する操作を行わなければならず、プリント基板の実装作業に手間がかかる不具合があった。
【０００９】
この発明はかかる従来の不具合を改善するためになされたもので、挿抜レバーを手で保持するなどの操作を必要とせずにプリント基板の挿入が行えるプリント基板の挿抜装置を提供することを目的とするものである。
【００１０】
【課題を解決するための手段】
この発明は上記目的を達成するため、プリント基板の挿抜を行う挿抜レバー側にガイド突起を、また係合部材側に、プリント基板の挿入時、上記挿抜レバーの挿入用突出部が係合部材の係合部と干渉しない位置まで挿抜レバーを回動させるガイド突片を設けたもので、プリント基板の挿入時、挿抜レバーを保持せずにプリント基板の挿入が行えるため、プリント基板の実装作業が容易に行えるようになる。
【００１１】
【発明の実施の形態】
この発明の請求項１記載のプリント基板の挿抜装置は、ブックシェルフ筐体内でプリント基板を挿脱自在とするプリント基板の挿抜装置において、ブックシェルフ筐体の開口部に設けられた係合部材と、プリント基板の後端側角部に回動自在に設けられた挿抜レバーとを有し、係合部材が係合部と、係合部材に一体に形成されたほぼＪ字形のガイド突片とを備え、挿抜レバーが係合部の内側に係合する挿入用突出部と、係合部の外側に係合する抜出用突出部と、前面側が円弧状に形成されたガイド突起とを備え、ブックシェルフ筐体内へのプリント基板の挿入時、ガイド突起の円弧面とガイド突片のほぼＪ字形の終端側の外面とが当接して挿抜レバーが回動し、挿入用突出部と係合部との近接し合う先端部同士が干渉することなく、挿入用突出部が係合部の内側に係合したものである。
【００１２】
上記構成により、プリント基板の挿入時、挿抜レバーが係合部材の係合部と干渉することがないので、作業者が手で意識的に挿抜レバーを保持する必要がなく、これによってプリント基板の挿入作業が短時間で容易に行えるようになる。
【００１７】
以下この発明の実施の形態を図１ないし図３に示す図面を参照して詳述する。
【００１８】
図１は電子装置に使用されているブックシェルフ筐体の一部切欠斜視図、図２は図１のＡ円内の拡大図、図３の（イ）ないし（へ）は作用説明図である。
【００１９】
図１において１は前面（または後面）が開口するブックシェルフ筐体で、内側の上下面に、プリント基板２の上下縁をガイドする複数対のガードレール３が横方向に等間隔に布設されており、その奥方には各ガードレール３毎にコネクタ４が設けられたマザーボード５が設けられている。
【００２０】
上記プリント基板２には、複数の電子部品（図示せず）が実装されていると共に、プリント基板２の前端側には、上記マザーボード５のコネクタ４に接続自在なコネクタ６が、そして後端側の上下角部には、一対の挿抜レバー８が設けられている。
【００２１】
上記挿抜レバー８は樹脂などにより一体成形されていて、一端側に寄った位置がピン９によりプリント基板２に回動自在に枢着されており、一端側には上記ブックシェルフ筐体１の開口部１ａの上下縁に固着された係合部材１０の係合部１０ａに内側より係合する挿入用突出部８ａと、係合部１０ａに外側より係合する抜出用突出部８ｂが凹部８ｃを挟んで対向するよう突設されている。
【００２２】
また上記挿入用突出部８ａの下方はほぼ直角に形成されていて、この角部側面に前面側が円弧状に形成されたガイド突起８ｄが突設されていると共に、上記係合部材１０側には、上記ガイド突起８ｄが当接する位置に、ほぼＪ字形のガイド突片１０ｂが突設されている。
【００２３】
次に上記のように構成されたプリント基板の挿抜装置の作用を図３の（イ）ないし（へ）を参照して説明すると、ブックシェルフ筐体１内にプリント基板２を実装するに当って、まずプリント基板２の前端側の上下縁をガイドレール３の凹溝３ａに差し込んで、ガイドレール３に沿ってプリント基板２をブックシェルフ筐体１内へ押し込む。
【００２４】
このときプリント基板２の上側角部の挿抜レバー８は、他端側の自重により図３の（イ）に示すように起立状態にある。
【００２５】
この状態でさらにプリント基板２を押し込むと、図３の（ロ）に示すように挿抜レバー８の側面に突設されたガイド突起８ｄの円弧面が係合部材１０のガイド突片１０ｂ外側に当接して、ピン９を中心に挿抜レバー８が時計回り方向へ回動され、これによって挿入用突出部８ａの先端が係合部１０ａの先端より低くなるため、この状態でさらにプリント基板２を押し込むことにより、挿入用突出部８ａの先端が係合部１０ａの先端を通過すると共に、プリント基板２のコネクタ６とマザーボード５のコネクタ４が接続されて、プリント基板２の実装が完了する。
【００２６】
また挿抜レバー８のガイド突起８ｄも係合部材１０のガイド突片１０ｂを通過して、図３の（ハ）に示すように他端側の自重により反時計回り方向へ回動し、図３の（ニ）を経て、図３の（ホ）に示す位置で停止する。
【００２７】
一方ブックシェルフ筐体１内に実装されたプリント基板２を抜き出す場合は、図３の（へ）に示すように挿抜レバー８の他端側を時計回り方向へ回動する。
【００２８】
なお図示しないが下側角部の挿抜レバー８の他端は反時計回り方向へ回動する。
【００２９】
これによって抜出用突出部８ｂが係合部材１０の係合部１０ａに外側より当接するので、さらに挿抜レバー８を回動することにより、テコの原理でプリント基板２に大きな抜出力が作用して、プリント基板２のコネクタ６とマザーボード５のコネクタ４が切離されるので、その後はプリント基板２を引き出すことにより、ブックシェルフ筐体１より簡単にプリント基板２を抜き出すことができる。
【００３０】
【発明の効果】
この発明は以上詳述したように、プリント基板に設けられた挿抜レバー側にガイド突起を、また挿抜レバーが係合する係合部材側に、プリント基板の挿入時上記ガイド突起と当接して、挿抜レバーを回動させるガイド突片を設けたことから、ブックシェルフ筐体内へプリント基板を挿入する際、作業者が意識的に挿抜レバーを水平位置に保持しなくとも、プリント基板の挿入が行えるようになる。
【００３１】
これによってプリント基板の実装作業が短時間で容易に行えると共に、ブックシェルフ筐体内に実装されたプリント基板を抜き出す場合は、挿抜レバーを回動させることにより、テコの原理で簡単に抜き出すこともできる。
【図面の簡単な説明】
【図１】この発明の実施の形態になるプリント基板の挿抜装置が設けられたブックシェルフ筐体の一部切欠斜視図
【図２】図１のＡ円内の拡大図
【図３】（イ）ないし（ヘ）はこの発明の実施の形態になるプリント基板の挿抜装置の作用説明図
【図４】従来のプリント基板の挿抜装置が設けられたブックシェルフ筐体の一部切欠斜視図
【図５】（イ）及び（ロ）は従来のプリント基板の挿抜装置の作用説明図
【符号の説明】
１      ブックシェルフ筐体
２      プリント基板
３      ガイドレール
３ａ    凹溝
４，６  コネクタ
５      マザーボード
８      挿抜レバー
８ａ    挿入用突出部
８ｂ    抜出用突出部
８ｃ    凹部
８ｄ    ガイド突起
９      ピン
１０    係合部材
１０ａ  係合部
１０ｂ  ガイド突片
【図１】
0003583273.tif 000002
【図２】
0003583273.tif 000003
【図３】
0003583273.tif 000004
【図４】
0003583273.tif 000005
【図５】
0003583273.tif 000006